(57)【要約】【課題】エアダスタを用いて埃等の異物を吸引するための吸引用管体及びこれを備える吸引具を提供する。【解決手段】吸引用管体１は、外管２、内管３、及び外管２の基端と内管３の先端との間において外管２に連通する吸引管４を備える。内管３から気体を流し込むと、吸引管４の先端に負圧が発生し、吸引管４を用いて埃等の異物を吸引することが可能となる。エアダスタ１１を内管３に接合して、埃等の異物を吸引する吸引具を提供することができる。【選択図】図１
2019063042.tif 000002
【特許請求の範囲】
【請求項１】
外管と、
前記外管の一端から挿入され、前記外管の胴部内に先端が位置決めされる内管と、
前記外管の一端と前記内管の先端との間に位置する前記外管の接合部に一端が接合されて前記外管に連通する吸引管と、
を備えることを特徴とする、吸引用管体。
【請求項２】
前記内管の先端と前記接合部との離間距離は、前記外管の内径の３倍以上であることを特徴とする、請求項１に記載の吸引用管体。
【請求項３】
前記内管の内径は、前記外管の内径の２分の１以下であることを特徴とする、請求項１又は２に記載の吸引用管体。
【請求項４】
前記吸引管は、前記接合部において、前記外管に対して垂直よりも前記内管の挿入箇所の側に傾斜していることを特徴とする、請求項１〜３のいずれか１項に記載の吸引用管体。
【請求項５】
前記外管の他端を塞ぐフィルタをさらに備えることを特徴とする、請求項１〜４のいずれか１項に記載の吸引用管体。
【請求項６】
請求項５に記載の吸引用管体と、
前記内管の基端に取り付けられるエアダスタと、
を備えることを特徴とする、吸引具。
【発明の詳細な説明】
【技術分野】
【０００１】
本発明は、吸引用管体及び吸引具に関する。
【背景技術】
【０００２】
流体を利用してベンチュリ効果によって減圧状態を作り出し、物を吸引する器具が知られている。例えばアスピレータと呼ばれる器具は、部分的に細く形成された接合部を有する水平管とその接合部に接合された垂直管とから構成されるＴ字管を有し、水平管の一端に流体を流し込んで他端から噴出することにより、接合部の狭い空間内で流体の流速が増して圧力が下がり、それにより垂直管内が減圧されることで、垂直管の先端から液体、埃等の異物を吸引することが可能となる。流体として、水等の液体、空気等の気体を使用することができる。
【０００３】
通常、コンプレッサ等を用いて大きな圧力で流体をアスピレータに流し込む（例えば、特許文献１参照）。一方、コンプレッサ等の大掛かりな装置を使用したくない場面も考えられる。例えば、コンピュータのキーボード等の表面の埃を吹き飛ばすエアダスタを使用する場合、吹き飛ばされた埃を吸引したい。エアダスタは気体を噴き出すので、その気体によって減圧状態を作り出し、埃を吸引することが考えられる。ここで、エアダスタを利用して簡易に吸引具を構成する場合には、気体を吹き出す圧力が十分に大きくはないため、効果的に減圧状態を作るための工夫を要する。
【先行技術文献】
【特許文献】
【０００４】
【特許文献１】特開２０１１−２１８８６６号公報
【発明の概要】
【発明が解決しようとする課題】
【０００５】
本発明は、エアダスタを用いて埃等の異物を吸引するための吸引用管体及びこれを備える吸引具を提供することを課題とする。
【課題を解決するための手段】
【０００６】
本発明の吸引用管体は、外管と、外管の一端から挿入され、外管の胴部内に先端が位置決めされる内管と、外管の一端と内管の先端との間に位置する外管の接合部に一端が接合されて外管に連通する吸引管と、を備えることを特徴とする。
【０００７】
これによれば、内管の基端からその内部に気体を流し込むと、気体は、内管内の狭い空間を高速で流れ、内管の先端から外管の胴部内に流れ出て胴部の広い空間を低速で流れ、そして外管の他端から流れ出る。このとき、外管内における内管の先端近傍の圧力が外管の他端側に対して下がるため、内管の先端から外管の一端側に位置する接合部で外管に連通する吸引管の他端に負圧が発生することで、吸引管を用いて吸引することが可能となる。
【０００８】
本発明の吸引用管体は、内管の先端と接合部との離間距離は、外管の内径の３倍以上であることを特徴とする。
【０００９】
これによれば、吸引管から外管の内径の３倍以上離間した箇所に内管の先端があり、そこから噴き出した気体は、吸引管に流れることなく、外管に流れることが確実になる。吸引管を効果的に減圧することができる。
【００１０】
本発明の吸引用管体は、内管の内径は、外管の内径の２分の１以下であることを特徴とする。
【００１１】
これによれば、内管の先端から噴き出した気体の流速が大きくなり、効果的に減圧を生じることができる。
【００１２】
本発明の吸引用管体は、前記吸引管は、前記接合部において、前記外管に対して垂直よりも前記内管の挿入箇所の側に傾斜していることを特徴とする。
【００１３】
これによれば、吸引管から吸入された埃等の異物が接合部の係留されずに外管に送られる。
【００１４】
本発明の吸引用管体は、外管の他端を塞ぐフィルタをさらに備えることを特徴とする。
【００１５】
これによれば、吸引管から吸引され、外管を流れる気体に含まれる埃等の異物を除去することができる。
【００１６】
本発明の吸引具は、本発明の吸引用管体と、内管の基端に取り付けられるエアダスタと、を備えることを特徴とする。
【００１７】
これによれば、エアダスタを用いて内管に気体を流し込むことで、吸引管から埃等の異物を吸引することができる。
【発明の効果】
【００１８】
本発明の吸引用管体及び吸引具によれば、エアダスタを用いて埃等の異物を吸引することが可能となる。
【図面の簡単な説明】
【００１９】
【図１】図１は、吸引用管体の構成を示す断面図である。（実施例１）
【図２】図２は、吸引用管体にエアダスタを取り付けた吸引具を示す図である。（実施例１）
【図３】図３は、吸引用管体の構成を示す断面図である。（実施例２）
【発明を実施するための形態】
【００２０】
以下、本発明の実施例について説明する。
【実施例１】
【００２１】
図１は、吸引用管体１の構成を示す。吸引用管体１は、エアダスタを用いて埃等の異物を吸引するための器具であり、外管２、内管３、吸引管４、及びフィルタ５を含んで構成される。なお、吸引用管体１は埃等の異物を吸引するものとしたが、エアダスタが噴出する気体の圧力に応じて任意の目的物を吸引するものとしてもよい。
【００２２】
外管２は、気体をガイドするための管状部材である。外管２は、例えば、塩化ビニル、フッ素樹脂、アクリル、ポリカーボネート等を用いて、内径Ｄ＝５〜１０ｍｍでフレキシブルに成形される。外管２は、後述する内管３を基端（図１における左端）に通し、例えば封止樹脂を用いて基端を閉じることで内管３を固定支持する。また、外管２は、胴部の下端に後述する吸引管４が接合される接合部２ａを有する。
【００２３】
内管３は、エアダスタに取り付けてその気体を高速で噴出するための管状部材である。内管３は、例えば、塩化ビニル、フッ素樹脂、アクリル、ポリカーボネート等を用いて、内径ｄ＝１．５〜２．５ｍｍでリジッドに成形される。内管３は、先端（図１における右端）を外管２の基端から挿入して外管２の胴部内、すなわち外管２の接合部２ａと先端（図１における右端）との間に位置決めされる。
【００２４】
内管３の内径ｄは、外管２の内径Ｄより小さく（ｄ＜Ｄ）、２分の１以下（ｄ≦Ｄ／２）であるのが望ましい。それにより、内管３の先端から外管２内に噴き出した気体の流速が大きくなり、効果的に減圧を生じることができる
【００２５】
吸引管４は、埃等の異物を吸引するための管状部材である。吸引管４は、外管２と同じ素材を用いてフレキシブルに成形される。吸引管４は、外管の接合部２ａ（外管２の基端と内管３の先端との間に位置する）に基端が接合されて外管２に連通する。内管３の先端と接合部２ａとの離間距離Ｌは、外管２の内径Ｄより十分大きい（Ｌ＞＞Ｄ）のが望ましく、例えば３倍以上（Ｌ≧３Ｄ）とする。ただし、内管３の先端と外管２の先端との離間距離も、外管２の内径Ｄより十分大きいのが望ましい。それにより、エアダスタのように比較的小さい噴出圧で気体が内管３内に流し込まれ、その先端から噴出される場合においても、気体が吸引管に流れることなく、外管に流れることが確実になる。吸引管を効果的に減圧することができる。
【００２６】
フィルタ５は、吸引管４の先端から吸引されて気体に混入した埃等の異物を吸引するための部材である。フィルタ５は、例えば不織布を採用することができる。なお、吸引する異物の大きさに応じて、例えば０．５ｍｍ以下のサイズの孔を有するメッシュ状シート、多孔質状シートであってもよい。フィルタ５は、円環状の固定部材２ｂを用いて外管２の先端を塞いで固定される。
【００２７】
図２に、吸引用管体１の使用状態、すなわちエアダスタ１１に取り付けて吸引具１０とした状態を示す。吸引具１０は、吸引用管体１の内管３の基端をエアダスタ１１の頭部１１ａに取り付けることで構成される。エアダスタ１１により内管３の基端からその内部に気体を流し込むと、気体は、内管３内の狭い空間を高速で流れ、内管３の先端から外管２の胴部内に流れ出て胴部の広い空間を低速で流れ、そして外管２の先端から流れ出る。このとき、外管２内における内管３の先端近傍の外管２内の空間ｃで圧力が外管２の先端側に対して下がるため、内管３の先端から外管２の基端側に位置する接合部２ａで外管２に連通する吸引管４の先端に負圧が発生する。従って、エアダスタ１１を用いて内管３に気体を流し込むことで、吸引管４から埃等の異物を吸引することができる。
【００２８】
以上詳細に説明したように、本実施例の吸引用管体１は、外管２、外管２の基端から挿入され、外管２の胴部内に先端が位置決めされる内管３、及び外管２の基端と内管３の先端との間に位置する外管２の接合部２ａに基端が接合されて外管２に連通する吸引管４を備える。内管３の基端からその内部に気体を流し込むと、気体は、内管３内の狭い空間を高速で流れ、内管３の先端から外管２の胴部内に流れ出て胴部の広い空間を低速で流れ、そして外管２の先端から流れ出る。このとき、外管２内における内管３の先端近傍の圧力が外管２の先端側に対して下がるため、内管３の先端から外管２の基端側に位置する接合部２ａで外管２に連通する吸引管４の先端に負圧が発生することで、吸引管４を用いて吸引することが可能となる。
【実施例２】
【００２９】
図３は、吸引用管体１の構成を示す。実施例１（図１）と比較すると、接合部２ａにおける外管２と吸引管４とのなす角度が相違する。吸引管４は、外管２に対して垂直でなく内管３の挿入箇所の側に傾斜している。図では、垂直に対して６０度の傾斜を示しているが、この傾斜角は、３０度以上であることが好ましい。
【００３０】
吸引管４によって吸引された気体は、図の白抜き矢印に沿って流れる。接合部２ａにおいて、実施例１（図１）では９０度湾曲して流れていたが、本実施例では３０度のみ湾曲して流れる。湾曲角度が小さくなり、気体の流れがスムーズになる。気体中の埃等の異物が接合部２ａに係留されてしまう可能性をなくすことができる。
【産業上の利用可能性】
【００３１】
本発明の吸引用管体及び吸引具は、エアダスタを用いて埃等の異物を吸引するのに好適である。
【符号の説明】
【００３２】
１      吸引用管体
２      外管
２ａ    接合部
２ｂ    固定部材
３      内管
４      吸引管
５      フィルタ
１０    吸引具
１１    エアダスタ
１１ａ  頭部
【図１】
2019063042.tif 000003
【図２】
2019063042.tif 000004
【図３】
2019063042.tif 000005